(57)【要約】【課題】複数の通行者の距離が近くても、判定対象者と、その判定対象者が所持している人体通信媒体と、を正しく関連付けることができるゲート装置を提供する。【解決手段】自動改札機１は、複数の光電センサ９により、検出領域１２Ａ内への判定対象者の進入及び退出を検出する。信号強度測定部５は、検出領域１２Ａ内に設置した人体通信パッド４Ａにより、人体通信部４が判定対象者の人体を介して人体通信媒体１５と通信して媒体情報を取得する際に、人体通信媒体１５から受信した信号の信号強度を測定する。制御部１０は、判定対象者が、検出領域１２Ａに進入してから退出するまでの間に、人体通信部４と人体通信媒体１５との通信において、信号強度測定部５が測定した信号強度の変化パターンを取得する。制御部１０は、取得した信号強度の変化パターンに基づいて、判定対象者が、人体通信部４と通信した人体通信媒体１５を所持しているかどうかを判定する。【選択図】図７
2012194720.tif 000002
【特許請求の範囲】
【請求項１】
検出領域内に設置され、前記検出領域内に進入した判定対象者の人体を介して人体通信媒体と通信する人体通信アンテナと、
前記人体通信媒体から受信した信号の信号強度を測定する信号強度測定部と、
前記信号強度測定部が測定した信号強度の変化パターンに基づいて、前記判定対象者が、前記人体通信アンテナと通信した人体通信媒体を所持しているかどうかを判定する判定部と、
を備えたゲート装置。
【請求項２】
前記検出領域内における前記判定対象者の移動を追跡する追跡部を備え、
前記判定部は、前記追跡部が得た前記判定対象者の追跡結果を用いて、この判定対象者の位置に対する信号強度の変化パターンを得る、請求項１に記載のゲート装置。
【請求項３】
前記判定部は、前記信号強度の変化パターンにおいて、信号強度が低下する領域がある場合には、前記判定対象者は前記人体通信アンテナと通信した人体通信媒体を所持していると判定する請求項１または２に記載のゲート装置。
【請求項４】
前記判定部は、前記信号強度の変化パターンにおいて、信号強度が常に増加する場合には、前記判定対象者は前記人体通信アンテナと通信した人体通信媒体を所持していないと判定する請求項１乃至３のいずれかに記載のゲート装置。
【発明の詳細な説明】
【技術分野】
【０００１】
この発明は、通行者の通行を制御するゲート装置に関する。
【背景技術】
【０００２】
従来、非接触ＩＣカード（ＲＦＩＤタグ）を通行券として使用し、この通行券の有無により通路の通行を制御するゲート装置が普及している。このゲート装置では、通行券である非接触ＩＣカードを入口側に設置されたアンテナにかざして、通行券を能動的に読み取らせる必要がある。
【０００３】
近時、通行者が通行券を能動的に読み取らせる動作が不要なゲート装置が提案されている（特許文献１参照）。このゲート装置では、通路に電極を設置し、通行券である人体通信媒体（ユーザデバイス）を所持する通行者の人体を、人体通信媒体と電極との間を接続するキャパシタの誘電体として機能させる。つまり、ゲート装置は、通行者の人体を介して、電極と人体通信媒体との間で人体通信を行う。したがって、図１（Ａ）に示す通行者Ｐ１のように、電極Ａに人体通信媒体Ｂを能動的に提示しなくても、人体通信媒体Ｂを所持しているだけで、人体通信媒体に記録された情報をゲート装置に読み取らせることができる。
【先行技術文献】
【特許文献】
【０００４】
【特許文献１】特開２００７−１７２１０３号公報
【発明の概要】
【発明が解決しようとする課題】
【０００５】
通行券として人体通信媒体を用いるゲート装置では、通路を通行する複数の通行者の間隔が狭いと、人体がアンテナとなって別の通行者が所持する人体通信媒体と通信することがあった。例えば、図１（Ｂ）に示すように、人体間を信号が伝搬する距離以下の間隔で通行者Ｐ２と通行者Ｐ３が通行していると、通行者Ｐ３が所持する人体通信媒体Ｂから、通行者Ｐ３の人体と通行者Ｐ２の人体を介して、電極Ａに信号が伝わることがあった。そのため、ゲート装置が人体通信媒体Ｂと通信して媒体情報を取得した際に、通行者Ｐ３が所持する人体通信媒体Ｂと、この人体通信媒体Ｂを所持していない別の通行者Ｐ２と、を誤って関連付けてしまうという問題があった。
【０００６】
このような問題が発生すると、通行者Ｐ２が無札にもかかわらず、通路の通行が可能となる。
【０００７】
そこで、この発明は、判定対象者と別の通行者の間隔が、人体間を信号が伝搬する距離以下であっても、判定対象者と人体通信媒体を正しく関連付けることができるゲート装置を提供することを目的とする。
【課題を解決するための手段】
【０００８】
この発明のゲート装置は、上記目的を達するために、以下のように構成している。
【０００９】
ゲート装置は、人体通信アンテナにより、検出領域内に進入した判定対象者の人体を介して人体通信媒体と通信する。また、信号強度測定部により、人体通信媒体から受信した信号の信号強度を測定する。判定部は、信号強度測定部が測定した信号強度の変化パターンに基づいて、判定対象者が、人体通信アンテナと通信した人体通信媒体を所持しているかどうかを判定する。
【００１０】
判定対象者とは、人体通信アンテナと通信した人体通信媒体を所持しているかどうかを、検出領域内において判定される通行者のことである。
【００１１】
人体通信アンテナが人体通信媒体から受信する信号の信号強度は、人体通信アンテナと人体通信媒体との間で通信する際の、信号の伝搬経路長に反比例する。つまり、人体通信媒体が人体通信アンテナに近づいてくるときには信号強度は増加していき、人体通信媒体が人体通信アンテナから離れていくときには信号強度は低下していく。そのため、人体通信アンテナにより検出領域を判定対象者が通過したときの信号強度の変化パターンを確認することで、人体通信媒体が離れていくのか近づいてくるのか状態がわかる。つまり、人体通信媒体を所持している判定対象者が、検出領域から離れていくのか、検出領域に近づいてくる通行者が人体通信媒体を所持しているのか、すなわち、判定対象者は人体通信媒体を所持していないのか、を判定できる。したがって、判定対象者と、人体通信媒体と、を正しく関連付けることができる。
【００１２】
信号強度の変化パターンにおいて信号強度が低下する領域がある場合には、検出領域から離れていく判定対象者は人体通信アンテナと通信した人体通信媒体を所持していると判定するとよい。また、信号強度の変化パターンにおいて信号強度が常に増加する場合には、検出領域から離れていく判定対象者は人体通信アンテナと通信した人体通信媒体を所持していないと判定するとよい。
【００１３】
また、この発明のゲート装置は、追跡部により、検出領域内における前記判定対象者の移動を追跡する。判定部は、追跡部が得た判定対象者の追跡結果を用いて、この判定対象者の位置に対する信号強度の変化パターンを得る。
【００１４】
この構成では、判定対象者が、人体通信アンテナに対して一時的に停止したり、一時的に進んでいた方向と逆方向に進んだりしても、その影響を受けることなく、信号強度の変化パターンを取得できる。したがって、判定対象者が、人体通信アンテナと通信した人体通信媒体を所持しているかどうかを確実に判定でき、通行者と、その通行者が通路の通行に使用する人体通信媒体と、を正しく関連付けることができる。
【発明の効果】
【００１５】
この発明によれば、判定対象者と別の通行者の間隔が、人体間を信号が伝搬する距離以下であっても、判定対象者と人体通信媒体を正しく関連付けることができる。
【図面の簡単な説明】
【００１６】
【図１】図１（Ａ）は、通行者が所持する人体通信媒体と電極が通信する際の信号の伝搬経路（電気力線）を例示する模式図である。図１（Ｂ）は、近接して通行する２人の通行者のうち、後ろ側の通行者が所持する人体通信媒体と電極が通信する際の信号の伝搬経路（電気力線）を例示する模式図である。
【図２】図２（Ａ）は、本実施形態に係る自動改札機を改札通路の入口側から見た正面図である。図２（Ｂ）は、本実施形態に係る自動改札機の側面図である。
【図３】自動改札機の制御系を示すブロック図である。
【図４】判定対象者が所持する人体通信媒体と人体通信パッドが通信する際の信号の伝搬経路を示す図である。
【図５】判定対象者の後方の通行者が所持する人体通信媒体と人体通信パッドが通信する際の信号の伝搬経路を示す図である。
【図６】時間経過に伴う（判定対象者の位置に対する）信号強度の変化パターンを示す図である。
【図７】自動改札機の処理を説明するためのフローチャートである。
【発明を実施するための形態】
【００１７】
以下、この発明のゲート装置の一実施形態である自動改札機について説明する。
【００１８】
図２（Ａ）は、本実施形態に係る自動改札機を改札通路の入口側から見た正面図である。図２（Ｂ）は、本実施形態に係る自動改札機の側面図である。
【００１９】
図２（Ａ）に示すように、自動改札機１は、対になる自動改札機１１と改札通路１２を挟んで対向して設置されている。図２（Ｂ）においては、自動改札機１の右側が改札通路の入口、自動改札機１の左側が改札通路の出口である。以下の説明では、自動改札機１は、乗車券（検札対象媒体）として人体通信媒体のみを使用できるものとするが、磁気券や非接触ＩＣカード（ＲＦＩＤタグ）などの周知の乗車券も使用できるように構成してもよい。
【００２０】
人体通信媒体は、人体通信パッドを通過した人体を介して人体通信する機能を有し、乗車券情報が内蔵メモリに記録されている乗車券である。人体通信パッドは、本発明の人体通信アンテナに相当する。
【００２１】
自動改札機１は、筐体１Ａの上面に液晶モニタ８Ａを備えている。また、筐体１Ａの改札通路１２側の側面に、スピーカ２Ａ、扉７Ａ、及び複数の光電センサ９を備えている。また、改札通路１２の路面に設置された人体通信パッド４Ａと人体通信パッド４Ｂを備えている。
【００２２】
人体通信パッド４Ａは改札通路１２の入口側の路面に設置され、人体通信パッド４Ｂは改札通路１２の出口側の路面、すなわち、人体通信パッド４Ａよりも改札通路１２の奥側に設置されている。人体通信パッド４Ａと人体通信パッド４Ｂは、人体通信媒体１５と通信するための電極（人体通信アンテナに相当）を内蔵している。
【００２３】
改札通路１２には、人体通信パッド４Ａを通過する通行者を検出する検出領域１２Ａが設定されている。検出領域１２Ａは、改札通路１２の通行方向において、人体通信パッド４Ａと改札通路１２の入口の間（第１検出位置）から、人体通信パッド４Ａと人体通信パッド４Ｂの間（第２検出位置）までの間に設定されている。
【００２４】
人体通信媒体１５を所持する通行者Ｐが検出領域１２Ａを通過する際に、人体通信パッド４Ａと人体通信媒体１５との間に、通行者Ｐの人体を介して信号の伝搬経路ができる。これにより、自動改札機１は、通行者Ｐの人体を介して人体通信パッド４Ａと人体通信媒体１５の間で通信して、媒体情報を取得する。人体通信パッド４Ｂの場合も同様である。
【００２５】
本発明では、人体通信パッド４Ａを、通行者が人体通信媒体を所持しているかどうかの判定に使用し、人体通信パッド４Ｂを、通行者が所持する人体通信媒体に利用情報等の情報を記録するために使用する。
【００２６】
なお、人体通信パッド４Ｂを設置せずに、人体通信パッド４Ａにより、通行者が人体通信媒体を所持しているかどうかの判定と、通行者が所持する人体通信媒体に利用情報等の情報記録と、の両方に使用するように構成してもよい。
【００２７】
扉７Ａは、改札通路１２（自動改札機１）の出口に設けられている。扉７Ａは、後述の扉駆動処理部７により開状態または閉状態に切り替えられる。
【００２８】
複数の光電センサ９は、改札通路１２に沿って一定間隔で配列されている。各光電センサ９は、対となる自動改札機の一方に発光部を設け、他方に受光部を設けた透過型の構成であり、赤外光を改札通路１２に照射して通行者の人体に遮蔽されるか否かを検出する。自動改札機１では後述の制御部１０が、複数の光電センサ９の出力がオフになる領域に、改札通路１２に進入した通行者が位置すると推定し、通行者の位置を追跡する。そして、通行者に対して、追跡した位置に応じた適切な制御タイミングで、その位置に応じた処理を行う。
【００２９】
複数の光電センサ９のうち、第１検出位置に設けられた光電センサ９を、特に検出センサ９Ａと称する。検出センサ９Ａは、第１検出位置の通行者、すなわち、これから自動改札機１の入口を通過して、人体通信パッド４Ａが設置された検出領域内に進入する通行者を検出する。
【００３０】
複数の光電センサ９のうち、第２検出位置に設けられた光電センサ９を、特に検出センサ９Ｂと称する。検出センサ９Ｂは、第２検出位置の通行者、すなわち、人体通信パッド４Ａが設置された検出領域から退出する通行者を検出する。
【００３１】
スピーカ２Ａは、改札通路１２の入口側に設けられている。自動改札機１は、各種の案内音や警告音をスピーカ２Ａから利用者に報知する。
【００３２】
液晶モニタ８Ａは、改札通路１２の出口側に設けられている。自動改札機１は、液晶モニタ８Ａに案内表示や警告表示を表示して、利用者に対して案内や警告を報知する。
【００３３】
図３は、自動改札機の制御系を示すブロック図である。自動改札機１は、制御部１０、放音処理部２、人体通信部４、信号強度測定部５、扉駆動処理部７、表示処理部８、及び上述の複数の光電センサ９（９Ａ，９Ｂ）を備えている。
【００３４】
制御部１０は、自動改札機１における各部の動作を制御する。
【００３５】
放音処理部２は、制御部１０が出力する制御信号に基づいて不図示のメモリから音声信号を読み出して再生し、スピーカ２Ａから通行者に対して各種音声情報を報知する。例えば、放音処理部２は、扉７Ａを閉じて通行を禁止した際に音声で報知する。
【００３６】
人体通信部４は、一例として電界方式で人体通信を行う。人体通信部４は、人体通信パッド４Ａから人体通信媒体１５へ、人体通信パッド４Ａを通過する通行者Ｐの人体表面の電界に変動を与えて信号を送信する。また、人体通信部４は、人体通信媒体１５による電界の変動を信号として検出する。これにより、人体通信部４は、人体通信媒体１５の内蔵メモリから媒体情報を取得したり、人体通信媒体１５のメモリに対して今回の利用情報を記録したりする。人体通信部４は、特許文献１に記載されたような周知の構成により人体通信を行うように構成するとよい。
【００３７】
信号強度測定部５は、人体通信部４が人体通信媒体１５と通信して媒体情報を取得する際に、人体通信パッド４Ａが人体通信媒体１５から受信した信号の信号強度（信号レベル）を測定し、信号強度の測定情報を制御部１０へ出力する。例えば、人体通信媒体１５と人体通信パッド４Ａとの間で電界方式により通信する場合、信号強度測定部５は、人体通信パッド４Ａで受信した信号の電界強度を測定する。
【００３８】
制御部１０は、検出センサ９Ａ，９Ｂにより検出領域１２Ａ内への通行者の進入を検出してからこの通行者の検出領域１２Ａからの退出を検出するまでの間に、信号強度測定部５から入力された信号強度の測定情報を時系列に保持する。そして、信号強度が時間の経過に伴ってどのように変化したかを確認できる、信号強度の変化パターンを取得する。また、制御部１０は、取得した信号強度の変化パターンに基づいて、通行者が、前記人体通信部と通信した人体通信媒体を所持しているかどうかを判定する。制御部１０は、本発明における判定部に相当する。
【００３９】
以下の説明では、人体通信媒体を所持しているかどうかを検出領域１２Ａ内において判定する通行者を、判定対象者と称する。また、以下の説明では、時間経過に伴う信号強度の変化パターンを単に変化パターンとも称する。
【００４０】
制御部１０が取得する信号強度の変化パターンは、以下のとおりである。
【００４１】
人体通信パッド４Ａで受信する人体通信媒体１５からの信号の信号強度は、信号の伝搬経路長に反比例する。すなわち、人体通信パッドと人体通信媒体との距離が近づくのにしたがって信号強度は強くなっていき、人体通信媒体が人体通信パッドから離れるのにしたがって、信号強度は弱くなっていく。本発明では、このような特性を利用して、判定対象者が人体通信部４と通信した人体通信媒体を所持しているかどうかを判定する。
【００４２】
図４は、判定対象者が所持する人体通信媒体と人体通信パッドが通信する際の信号の伝搬経路を示す図である。図４（Ａ）は、人体通信媒体をポケットに入れている通行者が検出領域内に進入する状態を示す。図４（Ｂ）は、人体通信媒体をポケットに入れている通行者が検出領域から退出する状態を示す。図４（Ｃ）は、人体通信媒体を手に持つ通行者が検出領域に進入した状態を示す。図４（Ｄ）は、人体通信媒体を手に持つ通行者が検出領域を通過中の状態を示す。
【００４３】
図５は、判定対象者の後方の通行者が所持する人体通信媒体と人体通信パッドが通信する際の信号の伝搬経路を示す図である。図５（Ａ）は、人体通信媒体を所持していない通行者が検出領域内に進入する状態を示す。図５（Ｂ）は、人体通信媒体を所持していない通行者が検出領域から退出する状態を示す。なお、図４、図５には、人体通信媒体と人体通信パッドの間の信号の伝搬経路のみを表示している。
【００４４】
図６は、時間経過に伴う（判定対象者の位置に対する）信号強度の変化パターンを示す図である。図６（Ａ）及び図６（Ｂ）は、検出領域を通過する通行者が人体通信媒体を所持している場合の変化パターンである。図６（Ｃ）は、検出領域を通過する通行者が人体通信媒体を所持していない場合の変化パターンである。
【００４５】
判定対象者が人体通信媒体を所持している場合、判定対象者が検出領域１２Ａ内を通過すると、人体通信媒体１５は検出領域１２Ａに設置された人体通信パッド４Ａから離れていく。そのため、人体通信媒体１５から媒体情報を取得する際に人体通信パッド４Ａが受信した信号の信号強度は、判定対象者が人体通信パッド４Ａから離れていくのにしたがって低下する。
【００４６】
例えば、図４（Ａ）、図４（Ｂ）に示すように、判定対象者Ｐ４がズボンのポケットに人体通信媒体１５を入れて所持している場合、判定対象者Ｐ４が人体通信パッド４Ａを通過すると、人体通信媒体１５が人体通信パッド４Ａから離れていく。つまり、信号の伝搬経路は長くなっていく。そのため、人体通信媒体１５から媒体情報を取得する際に人体通信パッド４Ａが受信した信号の信号強度は、判定対象者が人体通信パッド４Ａから離れていくのにしたがって低下する。よって、図６（Ａ）に示すような時間経過に伴って、信号強度が常に低下する変化パターンが得られる。
【００４７】
また、図４（Ｃ）、図４（Ｄ）に示すように、判定対象者Ｐ６が体の後ろ側で人体通信媒体１５を所持している場合、判定対象者Ｐ６が人体通信パッド４Ａを通過すると、人体通信媒体１５が人体通信パッド４Ａに近づいた後に、人体通信パッド４Ａから離れていく。そのため、人体通信媒体１５から媒体情報を取得する際に人体通信パッド４Ａが受信した信号の信号強度は、判定対象者が人体通信パッド４Ａに近づいてくるのにしたがって増加し、判定対象者が人体通信パッド４Ａから離れていくのにしたがって低下する。よって、図６（Ｂ）に示すような時間経過に伴って、信号強度がしばらく増加し、途中から低下する山型の変化パターンが得られる。
【００４８】
このように、変化パターンにおいて、信号強度が低下する領域がある場合には、判定対象者が人体通信媒体を所持していると判定できる。
【００４９】
一方、図５に示すように、判定対象者Ｐ８が人体通信媒体１５を所持しておらず、判定対象者Ｐ８よりも後方の通行者Ｐ９が人体通信媒体１５を所持している場合、判定対象者Ｐ８が検出領域１２Ａを通過すると、後方の通行者Ｐ９は、人体通信パッド４Ａに近づいてくる。つまり、判定対象者Ｐ８が検出領域１２Ａを通過すると、人体通信媒体１５は人体通信パッド４Ａに近づいてくる。人体通信媒体１５から媒体情報を取得する際に、人体通信パッド４Ａが受信した信号の信号強度は、判定対象者が人体通信パッド４Ａから離れていくのにしたがって増加する。そのため、図６（Ｃ）に示すような変化パターンが得られる。すなわち、時間経過に伴って、信号強度が常に増加する変化パターンが得られる。
【００５０】
したがって、変化パターンにおいて、信号強度が常に増加する場合には、判定対象者が人体通信媒体を所持していないと判定できる。
【００５１】
なお、人体通信媒体の媒体情報を取得した際に、人体通信媒体の識別情報（ＩＤ）を一定期間（例えば、１分程度）記憶しておき、直前までの一定期間に取得した識別情報であるかどうかを確認するとよい。そして、確認した識別情報が、直前までに取得した識別情報である場合には、その識別情報を取得した信号の信号強度の変化パターンを取得しないようにするとよい。これにより、判定対象者よりも前を通行する通行者が所持する人体通信媒体を除外することができる。
【００５２】
なお、判定対象者が改札通路１２で停止したり後戻りしたりすることが考えられる場合には、判定対象者の位置に対する信号強度の変化パターンを取得して、これにより判定対象者が人体通信媒体を所持しているかどうかを判定するとよい。判定対象者の位置に対する信号強度の変化パターンを用いると、判定対象者が改札通路１２で停止や後戻りをしても、変化パターンが判定パターンと異なる形状にならず、正確に判定できる。
【００５３】
判定対象者の位置に対する信号強度の変化パターンは、以下のようにして取得する。まず、制御部１０は、複数の光電センサ９により判定対象者の移動を追跡して、検出領域１２Ａ内における判定対象者の位置情報を追跡結果として取得する。そして、制御部１０は、この位置情報と、前記のように取得した信号強度の情報と、を対応づける。これにより、判定対象者の位置に対する信号強度の変化パターンを得ることができる。なお、制御部１０及び複数の光電センサ９は、本発明の追跡部に相当する。
【００５４】
扉駆動処理部７は、制御部１０が出力する制御信号に基づいて、改札通路１２における通行者の通行を制限するときには扉７Ａを閉状態にし、改札通路１２における通行者の通行を許可するときには、扉７Ａを開状態にする。
【００５５】
表示処理部８は、制御部１０が出力する制御信号に基づいてメモリから画像信号を読み出して、液晶モニタ８Ａに各種画像情報を表示させて、通行者に情報を報知する。
【００５６】
次に、自動改札機１の動作について説明する。図７は、自動改札機の処理を説明するためのフローチャートである。
【００５７】
自動改札機１の制御部１０は、光電センサ９が通行者を検出するのを待ち受けている（Ｓ１：Ｎ）。また、人体通信部４は、人体通信媒体に対して一定間隔でポーリングを行っている。
【００５８】
制御部１０は、光電センサ９により通行者を検出すると（Ｓ１：Ｙ）、通行者の追跡を開始する（Ｓ２）。
【００５９】
制御部１０は、検出センサ９Ａにより、判定対象者が検出領域１２Ａ内に進入したことを検出すると（Ｓ３：Ｙ）、時間経過に伴う信号強度の変化パターンの取得を開始し、検出センサ９Ｂにより、判定対象者を検出すると、変化パターンの取得を停止する（Ｓ４）。
【００６０】
続いて、制御部１０は、図６（Ａ）または図６（Ｂ）に示したように信号強度が低下する領域があるかどうかを確認する（Ｓ５）。制御部１０は、変化パターンに、信号強度が低下する領域がある場合には（Ｓ５：Ｙ）、判定対象者は人体通信部４と人体通信パッド４Ａにより通信した人体通信媒体を所持していると判定する（Ｓ６）。そして、制御部１０は、複数の光電センサ９により判定対象者が人体通信パッド４Ｂ（第２の人体通信パッド）の設置された位置まで移動したことを検出すると（Ｓ７：Ｙ）、人体通信部４に対して、人体通信パッド４Ｂにより人体通信媒体１５と通信させる。そして、媒体情報を取得し、人体通信媒体１５に記録されている媒体情報が適正かどうかを確認する（Ｓ８）。制御部１０は、通行者の入場処理を行う場合には、人体通信媒体に前回の利用情報として出場記録が記録されているか、乗車区間や利用可能な期間が正しいか、などの判定を行う。制御部１０は、通行者の出場処理を行う場合には、人体通信媒体に前回の利用情報として入場情報が記録されているか、乗車区間や利用可能な期間が正しいか、運賃不足は無いかなどの判定を行う。
【００６１】
制御部１０は、人体通信媒体に記録されている情報が適正であると判定した場合には（Ｓ８：Ｙ）、この通行者の通行を許可し、続いて、人体通信媒体に対して今回の利用情報などを記録する（Ｓ９）。制御部１０は、通行者の入場処理を行う場合には、人体通信媒体に今回の利用情報として入場情報を記録させる。制御部１０は、通行者の出場処理を行う場合には、人体通信媒体に今回の利用情報である出場情報の記録や、運賃の精算処理などを行う。
【００６２】
制御部１０は、ステップＳ９の処理が終了すると、扉駆動処理部７に出口側に設置された扉７Ａを開にさせる（Ｓ１０）。そして、制御部１０は、ステップＳ１以降の処理を再度行う。
【００６３】
一方、制御部１０は、ステップＳ８において、人体通信媒体に記録されている情報が不適正である場合には、この通行者の通行を禁止し、扉駆動処理部７に扉７Ａを閉状態にさせる（Ｓ１１）。そして、制御部１０は、放音処理部２及び表示処理部８に指示して、通行を禁止した理由や対処の方法などを液晶モニタ８Ａに表示させ、また、スピーカ２Ａから警報音を放音させ、改札処理を停止する（Ｓ１２）。
【００６４】
また、制御部１０は、ステップＳ５において、変化パターンに、信号強度が低下する領域がなく、常に信号強度が増加している場合には（Ｓ５：Ｎ）、判定対象者は人体通信部４と人体通信パッド４Ａにより通信した人体通信媒体を所持していないと判定する（Ｓ１３）。
【００６５】
そして、制御部１０は、この通行者の通行を禁止し、前述のステップＳ１１以降の処理を行う。
【００６６】
このように、本実施形態の自動改札機１は、上述の処理を実行するので、複数の通行者が近接して通行している場合でも、人体通信パッド４Ａを通過する通行者（判定対象者）が人体通信媒体を所持しているかどうかを確実に判定できる。したがって、通行者と、その通行者が所持する人体通信媒体と、を正しく関連付けることができる。
【００６７】
なお、上述の説明では、本願発明を駅などでの改札業務に使用する自動改札機を例に挙げて説明したが、これに限るものではなく、人体通信を利用した入退室管理など、本願発明は様々なゲート装置に適用できる。
【００６８】
また、人体通信パッド４Ａに電極を内蔵させて、電界方式により人体通信を行う例を挙げて説明したが、これに限るものではなく、他の方式で人体通信を行ってもよい。例えば、電流方式、ＵＨＦ帯電磁波方式、弾性波方式（超音波方式）、エバネセント通信方式など、他の方式を用いてもよい。
【００６９】
また、上記の説明では、複数の光電センサ９により判定対象者を検出する構成としたが、これに限るものではなく、他のセンサやカメラにより判定対象者を検出するようにしてもよい。
【符号の説明】
【００７０】
１，１１−自動改札機    ２−放音処理部    ２Ａ−スピーカ    ４−人体通信部    ４Ａ−人体通信パッド    ５−信号強度測定部    ７−扉駆動処理部    ７Ａ−扉    ８−表示処理部    ８Ａ−液晶モニタ    ９−光電センサ    ９Ａ−検出センサ    ９Ｂ−検出センサ    １０−制御部    １５−人体通信媒体
【図１】
2012194720.tif 000003
【図２】
2012194720.tif 000004
【図３】
2012194720.tif 000005
【図４】
2012194720.tif 000006
【図５】
2012194720.tif 000007
【図６】
2012194720.tif 000008
【図７】
2012194720.tif 000009